(57)【要約】【課題】  間仕切壁に簡単に収納部を設置することができ、部材コストを低減させることができる建具を提供する。【解決手段】建具１は、間仕切られた２つの空間を行き来するための開口部に設けられ、当該開口部の左右両側に立設される縦枠５ａ，５ｂと、前記左右の縦枠５ａ，５ｂの間に配置された方立５ｅとを有する枠体５と、一方の縦枠５ａ及び方立５ｅの間に開閉自在に設けられるドア本体６と、他方の縦枠５ｂ及び前記方立５ｅの間に設けられる収納袖部７と、を備え、前記収納袖部７は、厚さ方向の一端側を閉じる背面板１３と、厚さ方向の他端側を開閉自在に設けられる開閉体１４とを備える。【選択図】図３
2018199944.tif 000002
【特許請求の範囲】
【請求項１】
間仕切られた２つの空間を行き来するための開口部に設けられ、当該開口部の左右両側に立設される縦枠と、前記左右の縦枠の間に配置された方立と、左右両側の前記縦枠及び前記方立の上端及び下端をそれぞれ繋ぐ上下一対の横枠と、を有する枠体と、
一方の前記縦枠及び前記方立の間に開閉自在に設けられるドア本体と、
他方の前記縦枠及び前記方立の間に設けられる収納袖部と、を備え、
前記収納袖部は、厚さ方向の一端側を閉じる背面板と、厚さ方向の他端側に開閉自在に設けられる開閉体とを備えることを特徴とする建具。
【請求項２】
前記他方の縦枠及び前記方立の互いに対向する面に棚用受け穴及びパイプ用受け穴が、鉛直方向に沿って、それぞれ複数形成されており、
前記棚用受け穴に棚板を受けるダボが挿入されるとともに、前記パイプ用受け穴にパイプが固定されることを特徴とする請求項１に記載の建具。
【請求項３】
前記背面板は、前記開閉体側と逆側の面に鏡が形成されることを特徴とする請求項１又は請求項２に記載の建具。
【請求項４】
前記背面板は、前記開閉体側と逆側の面がインクを付着させ、且つ、拭き取り可能に形成されることを特徴とする請求項１又は請求項２に記載の建具。
【請求項５】
前記背面板は強磁性の金属板が含まれることを特徴とする請求項１から請求項４のいずれかに記載の建具。
【請求項６】
前記開閉体は、一側端に設けられた蝶番を軸に回転する開き戸であり、他側端が彫り込まれた把持部を形成することを特徴とする請求項１から請求項５のいずれかに記載の建具。
【請求項７】
請求項１から請求項６のいずれかに記載の建具が複数配置される住宅であって、
前記収納袖部の前記開閉体がそれぞれ異なる居室側に配置されることを特徴とする住宅。
【発明の詳細な説明】
【技術分野】
【０００１】
本発明は、間仕切壁に設けられ、当該間仕切壁によって隔てられた２つの空間を行き来するための開口部に設置される室内ドアの建具に関する。
【背景技術】
【０００２】
従来より、間仕切壁の開口部に設置される建具の中には、ドア本体に隣接して袖パネルが設けられるものが知られている。袖パネルは枠内に透明なガラス等の板を配置することで、建具によって仕切られた空間相互の採光、解放感、又はデザイン性を向上させるものである。
【０００３】
また、間仕切壁には空間を有効利用するために当該間仕切壁の内部を収納空間として利用している例があり、このような収納空間が建具に隣接して設けられている場合も存在している（特許文献１参照）。
【先行技術文献】
【特許文献】
【０００４】
【特許文献１】特開２００７−２２４６２１号公報
【発明の概要】
【発明が解決しようとする課題】
【０００５】
ところで、間仕切壁の内部を収納空間として利用する場合には、間仕切壁の一方の壁板に開口部を設けて、当該開口部に枠又はボックスをはめ込むなどの工程が必要であり、施工手間がかかり、また、収納空間を形成する部材のコストがかかる問題がある。また、間仕切壁に枠やボックスなどを含めた収納空間を設けるための十分な余裕が必要となる。
【０００６】
そこで本発明は、間仕切壁に簡単に収納部を設置することができ、部材コストを低減させることができる建具を提供することを目的とする。
【課題を解決するための手段】
【０００７】
本発明の建具は、間仕切られた２つの空間を行き来するための開口部に設けられ、当該開口部の左右両側に立設される縦枠と、前記左右の縦枠の間に配置された方立とを有する枠体と、一方の縦枠及び方立の間に開閉自在に設けられるドア本体と、他方の縦枠及び前記方立の間に設けられる収納袖部と、を備え、前記収納袖部は、厚さ方向の一端側を閉じる背面板と、厚さ方向の他端側を開閉自在に設けられる開閉体とを備えることを特徴としている。
【０００８】
本発明の建具は、前記他方の縦枠及び前記方立の互いに対向する面に棚用受け穴及びパイプ用受け穴が、鉛直方向に沿って、それぞれ複数形成されており、前記棚用受け穴に棚板を受けるダボが挿入されるとともに、前記パイプ用受け穴にパイプが固定されることを特徴としている。
【０００９】
本発明の建具は、前記背面板は、前記開閉体側と逆側の面に鏡が形成されることを特徴としている。
【００１０】
本発明の建具は、前記背面板は、前記開閉体側と逆側の面がインクを付着させ、且つ、拭き取り可能に形成されることを特徴としている。
【００１１】
本発明の建具は、前記背面板は強磁性の金属板が含まれることを特徴としている。
【００１２】
本発明の建具は、前記開閉体は、一側端に設けられた蝶番を軸に回転する開き戸であり、他側端が彫り込まれた把持部を形成することを特徴としている。
【００１３】
本発明の住宅は、上記のいずれかの建具が複数配置される住宅であって、前記収納袖部の前記開閉体がそれぞれ異なる居室に配置されることを特徴としている。
【発明の効果】
【００１４】
本発明の建具によると、左右両側に立設される縦枠と、左右の縦枠の間に配置された方立とを有する枠体が形成されており、一方の縦枠及び方立の間にドア本体が設けられるとともに、他方の縦枠及び方立の間に収納袖部が設けられているので、当然に設置する必要がある室内ドアの建具を施工する手間と大きく変わらない施工手間でドア本体及び収納袖部を有する建具を施工することができるので簡単に間仕切壁の厚さを有効利用した収納を設けることができる。方立を設けてドア本体の横を収納袖部としているので、枠体の一部がドア本体と収納袖部とで共通させることで、間仕切壁内の収納を独立して設ける場合にくらべて、施工手間及び材料コストを低減させることができるとともに、より少ないスペースで収納袖部を形成することができ、間仕切壁内のスペースを有効活用することができる。
【００１５】
本発明の建具によると、棚用受け穴及びパイプ用受け穴が他方の縦枠及び方立の互いに対向する面に鉛直方向に複数形成されているので、棚板２２及びパイプ２３収納袖部の所望の位置に架設することができる。
【００１６】
本発明の建具によると、背面板の開閉体側と逆側の面に鏡が形成されるので、通常利用されることがない面を鏡として有効利用することができる。
【００１７】
本発明の建具によると、背面板の開閉体側と逆側の面がインクを付着させ、且つ、拭き取り可能に形成されているので、通常利用されることがない面を伝言板やメモ板又は子供の絵描き等の用途に用いることができる。
【００１８】
本発明の建具によると、背面板は強磁性の金属板が含まれるので、背面板のいずれかの面に磁石を用いて、例えば写真やメモ帳などのシート状物を貼り付けることができる。
【００１９】
本発明の建具によると、開閉体が一側端に設けられた蝶番を軸に回転する開き戸であり、他側端が彫り込まれた把持部を形成するので、把持部が開閉体の面外方向に突出することが無く、建具を設けた開口部のデザイン性をすっきりさせることができる。
【００２０】
本発明の住宅によると、収納袖部の開閉体がそれぞれ異なる居室に配置されるので、各居室で収納袖部の収納を利用することができ、例えば掃除用具などのそれぞれの居室で利用する家事道具を各部屋毎に収納することで、家事の効率を高めることができる。
【図面の簡単な説明】
【００２１】
【図１】建具の全体構成を説明する正面図。
【図２】建具の全体構成を説明する水平断面図。
【図３】ドア本体及び開閉体をそれぞれ開いた状態を説明する水平断面図。
【図４】他方の縦枠の方立と向き合う面の構成を説明する鉛直断面図。
【図５】方立の他方の縦枠と向き合う面の構成を説明する鉛直断面図。
【図６】建具の開閉体を開いた状態を説明する正面図。
【図７】ドア本体が一方の空間側から引くことで開くとともに、収納袖部の開閉体も一方の空間側から引くことで開くように形成された建具の（Ａ）は、全体構成を説明する水平断面図、（Ｂ）は、ドア本体及び開閉体をそれぞれ開いた状態を説明する水平断面図。
【図８】背面板の開閉体側と逆側の面に鏡が形成された建具を説明する水平断面図。
【図９】背面板に強磁性の金属板の層を設けた建具を説明する水平断面図。
【図１０】背面板の開閉体側と逆側の面がインクを付着させ、且つ、拭き取り可能に形成された建具を説明する水平断面図。
【図１１】建具を設けた住宅の間取り図。
【発明を実施するための形態】
【００２２】
以下、本発明の建具１の最良の実施形態について各図を参照しつつ説明する。建具１は、図１１に示すように、例えば廊下と居室、又は居室同士の間に形成される間仕切壁２に設けられ、間仕切られた２つの空間を行き来するための開口部に設置される建具１である。間仕切壁２は図示しない複数の下地材の両面に石膏ボード４を貼り付けて２つの空間を間仕切っており、動線などを考慮した位置に開口部を形成し、当該開口部に建具１を配置することで両側の空間を行き来可能としている。本実施形態の建具１は、戸建住宅や集合住宅などの住宅３に設置されるものであるが、本発明の建具１は、オフィス等の居住以外の用途で利用される建物に設置しても良い。
【００２３】
建具１は、図１に示すように、矩形の枠体５と、開閉自在なドア本体６と、ドア本体６に隣接して設けられる収納袖部７とを有している。枠体５は例えば木製で長尺な左右一対の縦枠５ａ，５ｂと、当該左右の縦枠５ａ，５ｂの上端の間に架設される上横枠５ｃと、左右の縦枠５ａ，５ｂの下端の間に架設される下横枠５ｄと、により矩形に形成されており、左右の縦枠５ａ，５ｂの間に上端が上横枠５ｃに固定され、下端が下横枠５ｄに固定される方立５ｅが形成されている。方立５ｅは両方の縦枠５ａ，５ｂから離れた位置に立設されており、一方の縦枠５ａよりも他方の縦枠５ｂに近い位置に配置されている。
【００２４】
図２に示すように、一対の縦枠５ａ，５ｂの方立５ｅと逆側の面には鉛直方向に２本の平行なボード受け溝８がそれぞれ設けられている。これら２本のボード受け溝８には間仕切壁２を形成する石膏ボード４の側端縁がそれぞれ挿入されている。一方の縦枠５ａと方立５ｅの間にはドア本体６が設けられている。ドア本体６は上下の横枠５ｃ，５ｄと一方の縦枠５ａと方立５ｅとで形成される矩形枠の内側に入り込む形状の矩形平板であり、図３に示すように、一方の縦枠５ａと蝶番９を介して回動自在に固定されている。ドア本体６の方立５ｅに接近する側面にはラッチ１０が突出及び退入可能に設けられており、ドア本体６の両面に形成された開閉レバー１１を揺動させることでラッチ１０を出し入れさせることができる。方立５ｅには一方の縦枠５ａ側の面に図示しないラッチ受け穴が形成されており、ドア本体６の側面から突出したラッチ１０を受けることができる。一方の縦枠５ａ及び方立５ｅの互いに対向する面にはそれぞれ戸当り１２が形成されている。
【００２５】
収納袖部７は、図１に示すように、方立５ｅと他方の縦枠５ｂとの間に形成されている。収納袖部７は上下の横枠５ｃ，５ｄ、方立５ｅ、及び他方の縦枠５ｂによって形成される矩形枠の内側の空間であり、図２に示すように、この矩形枠の厚さ方向の一端側を閉じる背面板１３と、厚さ方向の他端側に開閉自在に設けられる開閉体１４とを有している。背面板１３は例えば樹脂製の化粧パネルである。方立５ｅ及び他方の縦枠５ｂの互いに向き合う面にはそれぞれ鉛直な背受け溝が形成されており、背面板１３はこの背受け溝１５に側端縁が挿入されて接着固定されている。
【００２６】
開閉体１４は、矩形平板状の板材で、図２及び図３に示すように、他方の縦枠５ｂ側の端部が、スライド蝶番１６によって他方の縦枠５ｂに開閉自在に固定されている。図４に示すようにスライド蝶番１６は、上下方向に４箇所設けられている。開閉体１４の方立５ｅ側の側端には把持部１７が形成されている。把持部１７は、開閉体１４の方立５ｅ側の側端の収納袖部７の内部側が彫り込まれて、指が係るように形成されている掘込引手である。開閉体１４は方立５ｅと他方の縦枠５ｂの間の距離よりも幅が短く、開閉体１４の方立５ｅ側の側端の最も内部側には隙間隠し材１８が固定されている。なお、把持部１７は開閉体１４の方立５ｅ側の側端に設けられるものに限られず、例えば、開閉体１４の収納袖部７の外部側の面に形成される掘込引手であっても良い。開閉体１４を開閉操作するための把持部１７を外部に向かって突出させない掘込引手とすることで、隣接するドア本体６の開閉レバー１１と同じような把手が開閉体１４には形成されないので、ドア本体６に隣接しつつも違和感のないすっきりしたデザインとすることができる。
【００２７】
方立５ｅ及び他方の縦枠５ｂには、図４及び図５に示すように、互いに対向する面に棚用受け穴１９及びパイプ用受け穴２０が形成されている。棚用受け穴１９は収納袖部７の奥側及び手前側の２列鉛直方向に並べて例えば５０ｍｍピッチで形成されている。また、パイプ用受け穴２０は２列の棚用受け穴１９の間に例えば１００ｍｍピッチで鉛直方向に並べて形成されている。棚用受け穴１９にはそれぞれ円柱状のダボ２１が挿入されて、当該ダボ２１の上に棚板２２が載置される。またパイプ用受け穴２０には円筒状のパイプ２３の端部が挿入されて当該パイプ２３が方立５ｅと他方の縦枠５ｂとの間に架設される。なお、パイプ２３の端部とパイプ用受け穴２０との固定は、図示しないが、例えばパイプ２３の端部にパイプ用受け穴２０に挿入可能なバネ突起を設けて嵌着させてもよく、又は、例えば一方のパイプ用受け穴２０に雌ネジを設けて、対応するパイプ２３の端部に雄ネジを設けて螺着させてもよい。
【００２８】
以上のようにして間仕切壁２の開口部に設置される建具１は、もともと室内ドアが必要な部分に当該室内ドアのみの建具を施工する手順と大きく変わらない手順で施工することができ、ドア本体６のみならず収納袖部７を設けることができるので、簡単に間仕切壁２の厚さを有効利用した収納を設けることができる。しかも、枠体５の一部がドア本体６と収納袖部７とで共通させることで、間仕切壁２内の収納を独立して設ける場合にくらべて材料コストを低減させることができるとともに、方立５ｅを挟んでドア本体６と収納袖部７が隣接することができるので、より少ないスペースで収納袖部７を形成することができる。
【００２９】
なお、本発明の建具１は、上述の実施形態に限定されるものではない。本実施形態においては、図３に示すように、ドア本体６の開閉方向と収納袖部７の開閉体１４の開閉方向が逆になるように形成されていた。すなわち、ドア本体６は間仕切壁２を隔てて一方の空間側から押す、又は他方の空間から引くことで開くのに対して、収納袖部７の開閉体１４は、一方の空間側に引くことで開くように形成されていた。本発明の建具１はこれに限られるものではなく、例えば図７に示すように、ドア本体６を一方の空間側から引くことで開くとともに、収納袖部７の開閉体１４も一方の空間側から引くことで開くように形成されも良い。すなわち、図３における形態と、収納袖部７の背面板１３及び開閉体１４が逆に配置されていても良い。このように背面板１３と開閉体１４とを逆に配置すれば収納袖部７の収納を必要に応じて一方の空間側から利用するようにも他方の空間から利用するようにも設計することができる。
【００３０】
また、図８に示すように、背面板１３は開閉体１４側と逆側の面に鏡２４が形成されていてもよい。このように構成すると、間仕切壁２に別途鏡を固定する作業を行うことなく、本来利用されることがない面を鏡２４として有効利用することができる。
【００３１】
また、図９に示すように、背面板１３に磁石を貼り付けることができる例えば鉄板などの強磁性の金属板２５の層を設けてもよい。このように構成すれば、背面板１３のいずれかの面に磁石を用いて、例えば写真やメモ帳などのシート状物を貼り付けることができる。なお、たとえば背面板１３全体を鉄板などの強磁性の金属板２５で構成してもよく、又は背面板１３の磁石を貼り付けたい部分のみに強磁性の金属板２５を設けてもよい。
【００３２】
また、例えば図１０に示すように、背面板１３は、開閉体１４側と逆側の面がインクを付着させ、且つ、拭き取り可能に形成されていてもよい。すなわち、背面板１３の開閉体１４と逆側の面を例えばホワイトボード２６で形成してもよい。このように形成すると、通常利用されることがない面を伝言板やメモ板又は子供の絵描き等の用途に用いることができる。
【００３３】
なお、図１１に示すように、住宅３に本実施形態の建具１を複数配置し、収納袖部７の開閉体１４がそれぞれ異なる居室２７に配置されることが好適である。このように構成すれば、各居室２７で収納袖部７の収納を利用することができ、例えば掃除用具などのそれぞれの居室２７で利用する家事道具を各部屋毎に収納することで、家事の効率を高めることができる。なお、図１１にあるように複数の出入口が設けられた居室２７に複数の収納袖部７の開閉体１４を配置してもよい。また、図１１においては、収納袖部７の開閉体１４は居室２７側に配置されており、収納袖部７の収納を居室２７側から利用することを想定しているが、収納袖部７の開閉体１４を廊下２８側に配置して収納袖部７の収納を廊下２８側から利用する者であっても良い。
【００３４】
なお、本発明の実施の形態は上述の実施形態に限ることなく、本発明の思想の範囲を逸脱しない範囲で適宜変更することができることは云うまでもない。
【産業上の利用可能性】
【００３５】
本発明に係る建具１及び住宅３は、例えば戸建住宅や集合住宅の間仕切壁２に設けられた開口部に設置される建具１及び当該建具１を有する住宅３として好適に用いることができる。
【符号の説明】
【００３６】
１      建具
２      間仕切壁
３      住宅
５      枠体
５ａ    一方の縦枠
５ｂ    他方の縦枠
５ｅ    方立
６      ドア本体
７      収納袖部
１３    背面板
１４    開閉体
１７    把持部
１９    棚用受け穴
２０    パイプ用受け穴
２１    ダボ
２２    棚板
２３    パイプ
２４    鏡
２７    居室
【図１】
2018199944.tif 000003
【図２】
2018199944.tif 000004
【図３】
2018199944.tif 000005
【図４】
2018199944.tif 000006
【図５】
2018199944.tif 000007
【図６】
2018199944.tif 000008
【図７】
2018199944.tif 000009
【図８】
2018199944.tif 000010
【図９】
2018199944.tif 000011
【図１０】
2018199944.tif 000012
【図１１】
2018199944.tif 000013
【手続補正書】
【提出日】平成30年8月20日(2018.8.20)
【手続補正１】
【補正対象書類名】特許請求の範囲
【補正対象項目名】請求項１
【補正方法】変更
【補正の内容】
【請求項１】
間仕切られた２つの空間を行き来するための開口部に設けられ、当該開口部の左右両側に立設される縦枠と、左右両側の前記縦枠の上端及び下端をそれぞれ繋ぐ上下一対の横枠と、前記左右の縦枠の間に配置されて上端が上の前記横枠に固定され下端が下の前記横枠に固定される方立と、を有する枠体と、
一方の前記縦枠及び前記方立の間に開閉自在に設けられるドア本体と、
他方の前記縦枠及び前記方立の間に設けられる収納袖部と、を備え、
前記方立は、前記一方の縦枠よりも前記他方の縦枠に近い位置に配置されており、
前記収納袖部は、厚さ方向の一端側を閉じる背面板と、厚さ方向の他端側に開閉自在に設けられる開閉体とを備えることを特徴とする建具。
【手続補正２】
【補正対象書類名】明細書
【補正対象項目名】０００７
【補正方法】変更
【補正の内容】
【０００７】
本発明の建具は、間仕切られた２つの空間を行き来するための開口部に設けられ、当該開口部の左右両側に立設される縦枠と、左右両側の前記縦枠の上端及び下端をそれぞれ繋ぐ上下一対の横枠と、前記左右の縦枠の間に配置されて上端が上の前記横枠に固定され下端が下の前記横枠に固定される方立とを有する枠体と、一方の前記縦枠及び前記方立の間に開閉自在に設けられるドア本体と、他方の前記縦枠及び前記方立の間に設けられる収納袖部と、を備え、前記方立は、前記一方の縦枠よりも前記他方の縦枠に近い位置に配置されており、前記収納袖部は、厚さ方向の一端側を閉じる背面板と、厚さ方向の他端側を開閉自在に設けられる開閉体とを備えることを特徴としている。
【手続補正３】
【補正対象書類名】明細書
【補正対象項目名】００１４
【補正方法】変更
【補正の内容】
【００１４】
本発明の建具によると、左右両側に立設される縦枠と、左右の縦枠の間で一方の縦枠よりも他方の縦枠に近い位置に配置された方立とを有する枠体が形成されており、一方の縦枠及び方立の間にドア本体が設けられるとともに、他方の縦枠及び方立の間に収納袖部が設けられているので、当然に設置する必要がある室内ドアの建具を施工する手間と大きく変わらない施工手間でドア本体及び収納袖部を有する建具を施工することができるので簡単に間仕切壁の厚さを有効利用した収納を設けることができる。方立を設けてドア本体の横を収納袖部としているので、枠体の一部がドア本体と収納袖部とで共通させることで、間仕切壁内の収納を独立して設ける場合にくらべて、施工手間及び材料コストを低減させることができるとともに、より少ないスペースで収納袖部を形成することができ、間仕切壁内のスペースを有効活用することができる。